Podtech/llm-jp-corpus-v4-ja_patent huggingface dataset:
(57)【要約】【課題】  広い広告面積、並びに開封を容易にする大きなツマミを設けた、コーヒーミルク等を充填するプラスチック容器を提供する。   【解決手段】  プラスチック容器の蓋をひょうたん型にし、一方を開封を容易にする為の、大きなツマミ部として設けた。この大きなツマミ部を、ひょうたん型の中央部で折り返して蓋に貼り合わせることにより、大きなツマミ部裏面、及び蓋表面に、従来無かった広い広告面を設けたことを特徴とするプラスチック容器。  【選択図】  図１
2006335424.tif 000002
【特許請求の範囲】
【請求項１】
コーヒーミルク等を充填するプラスチック容器の開封に使用するツマミ部を、蓋と同等の大きさ、形状にし、中央凹部で折り返し、蓋に貼り付けたことを特徴とするプラスチック容器。
【請求項２】
請求項１記載の、蓋と同等の大きさ、形状を持つツマミ部の裏面、及び蓋の表面に、懸賞や抽選、占いや広告等の情報を掲載できる広告面を設けたことを特徴とするプラスチック容器。
【発明の詳細な説明】
【技術分野】
【０００１】
本発明は、コーヒーミルク等を充填するプラスチック容器に関するものである。
【背景技術】
【０００２】
従来、コーヒーミルク等を充填するプラスチック容器、いわゆるポーションパックの蓋は、表面のデザイン面積の狭さから、デザイン上の制約があり、又開封時においては、指先で摘む小さなツマミを使用している。
【特許文献１】特開２００３−１９２０３６号公報
【発明の開示】
【発明が解決しようとする課題】
【０００３】
従来、コーヒーミルク等を充填するプラスチック容器の蓋表面のデザイン面は、商品名、又は会社名やイラスト等が記載されているものがほとんどで、その記載面の狭さから、豊富な情報量の広告等を掲載することはできなかったと思われる。
【０００４】
開封時に使用するツマミ部は、大人の指先で摘むには非常に小さい為、開けやすいとは言えず、又、内圧による内容物の飛沫が指先に付着することが多い。
【０００５】
本発明は、以上の問題点を解決するものである。
【課題を解決するための手段】
【０００６】
コーヒーミルク等を充填するプラスチック容器の蓋のツマミ部を、蓋と同等の大きさ、形状にし、蓋と大きなツマミ部の中央凹部から折り返して接着となる、左右対称のひょうたん型の蓋を持つことを特徴とするプラスチック容器。
【発明の効果】
【０００７】
本発明は、従来、その面積の狭さからデザイン上の制約があった、コーヒーミルク等を充填するプラスチック容器の、蓋のデザイン面を約３倍とすることによって、豊富な情報量の広告等を掲載可能にした。
【０００８】
本発明における広告面は、開封時には、蓋に注視して開封することが多いという点において、開封時に初めて広告面が現れることで、その広告効果は有効である。
【０００９】
開封の際に使用する大きなツマミ部は、大人の指でも持ちやすくなる為、開封時における内圧による、内容物の飛沫の指先への付着も軽減し、又、開封を容易にする。
【発明を実施するための最良の形態】
【００１０】
以下、本発明の実施の形態を説明する。
（イ）コーヒーミルク等を充填するプラスチック容器の蓋部位を、左右対称のひょうたん型に形成したことを特徴とする。
（ロ）前記蓋部位の一端である大きなツマミ部（１）先端には、ツマミ部（２）を設け、左右対称面の、もう一端である蓋部（６）に、容器本体（５）との密封接着部（９）を配し、蓋部位の中央凹部（３）から、大きなツマミ部（１）裏面にあたる広告面（４）と、蓋部（６）表面にあたる広告面（４）を合わせる様に、大きなツマミ部（１）を、蓋部（６）の表面側に折り返し、接着部（７）によって接着する。尚、大きなツマミ部（１）の表面は、未開封時の蓋表面となり、従来デザイン面（８）として従来通りのデザインも可能である。
（ハ）開封方法としては、まず何処の部位とも接着されていないツマミ部（２）を持って、大きなツマミ部（１）を剥離する。この時点で、大きなツマミ部（１）裏面、及び蓋部（６）表面に設けられた広告面（４）が現れる。                            
（ニ）大きなツマミ部（１）と、蓋部（６）との接着面（７）に関しては、密封性を必要としない為、従来のアルミ蒸着、或はもっと軽度の接着でもよいものとする。
（ホ）次に、大きなツマミ部（１）を持ち、容器本体（５）から、蓋部（６）を
剥離し、開封となる。
（ヘ）容器本体（５）と蓋部（６）との、密封接着部（９）に関しては、従来通りのアルミ蒸着を用いるものとする。
【図面の簡単な説明】
【００１１】
【図１】本発明の、広告面を現した状態の斜視図である。
【図２】本発明の開封後の斜視図である。
【図３】本発明の未開封時の斜視図である。
【符号の説明】
【００１２】
１    大きなツマミ部
２    ツマミ部
３    中央凹部
４    広告面
５    容器本体
６    蓋部
７    接着部
８    従来デザイン面
９    密封接着部
【図１】
2006335424.tif 000003
【図２】
2006335424.tif 000004
【図３】
2006335424.tif 000005
(57)【要約】【課題】  キャップ本体周壁後部に形成された弾性押圧板の前方押込みで、水平ヒンジと薄肉板状ヒンジとで後部を連結されてキャップ本体上面を閉塞する蓋体が開蓋可能としたワンタッチキャップにおいて、弾性押圧板の前方押込みを、該弾性押圧板の上端部へ集中させて効率的に行い、その開蓋が容易とした。【解決手段】  上記弾性押圧板38ａ下方のキャップ本体周壁部分から押釦19付きの弾性板18を起立させ、その押釦の前面に横設した突条20の前面を弾性押圧板38ａの上端部後面へ当接させた。【選択図】  図１
2006335405.tif 000002
【特許請求の範囲】
【請求項１】
キャップ周壁後部に形成した上縁自由端の弾性押圧板前方押し込みで、キャップ上面を閉塞する蓋体が該蓋体後部を連結する水平ヒンジと薄肉板状ヒンジとを中心に回動して開蓋するワンタッチキャップにおいて、
上記弾性押圧板38ａ下方のキャップ周壁部分から弾性板18を弾性押圧板38ａの後方を通って起立させ、該弾性板上端に付設した押釦19上部前面に横設した突条20前面を弾性押圧板38ａの上端部後面へ当接させ、その押釦19の突条だけを介して弾性押圧板38ａの前方押込みが可能に形成した
ことを特徴とするワンタッチキャップ。
【発明の詳細な説明】
【技術分野】
【０００１】
本発明はワンタッチキャップ、やや詳しくは弾性押圧板押込みにより容器本体上面を閉塞する蓋体を容易に開蓋可能としたものである。
【背景技術】
【０００２】
キャップ本体の周壁後部への切込み線穿設により上縁自由端の弾性押圧板を形成しておき、該押圧板の前方押込みによって水平ヒンジと台形薄肉板状ヒンジとでキャップ本体に連結されて、キャップ本体上面を閉塞する蓋体が、上記両ヒンジを中心とする回動で開蓋可能としたワンタッチキャップが特許出願されている（特許文献１）。
【特許文献１】特願２００４−２３６９０号
【発明の開示】
【発明が解決しようとする課題】
【０００３】
本発明は上記特許文献発明を改良するもので、弾性押圧板の前方押込みを効率的に行うことで、その前方押込みによる開蓋が容易としたものである。
【発明の効果】
【０００４】
請求項１のようにすることで、押釦19は常時キャップ後面よりも後方へ突出することとなり、よってキャップ後面に触れることなくその押釦だけを前方押込みすることが出来、その押釦を介して行う弾性押圧板38ａの前方押込みは、その押釦19上部前面に横設した突条20を線接触させて行うこととなり、よって弾性押圧板へ指先を面接触させて押圧する比べてその押圧を効率的に行うことが出来、容易に開蓋することが出来る。
【発明を実施するための最良の形態】
【０００５】
以下図面について説明すると、１は口頸部２を起立する容器体である。
【０００６】
11は上記容器体口頸部外面へ円筒状周壁12下半を嵌合させたキャップ本体で、該キャップ本体は、周壁12の上下方向中間部内面に前部（図１左方）を振出し筒13として、周壁上部よりも高く隆起させた仕切壁14を設けている。振出し筒の天板には複数の振出し孔15を穿設しており、又周壁後部は左右方向巾広の垂直壁16とし、その垂直壁上部を図４のように切欠き17し、又該切欠き部分上部の左右両側の円筒状弯曲壁部分も共に切欠きしている。更に、上記仕切壁14よりも上方の垂直壁部分は図１が示すように薄肉の弾性板18とし、該弾性板上端に押釦19を付設し、該押釦の上端前面へ突条20を横設している。
【０００７】
上記キャップ本体11の上部内へは蓋付き部材31を嵌着させている。該部材は、頂板32前部に振出し筒13上端部を嵌合させた透孔を有し、その頂板外周をキャップ本体周壁12の上端面上へ載置させて該頂板外周の後部を除く、頂板外周内方部分から嵌合短筒33を垂下させてキャップ本体周壁の上部内面へ嵌合させている。又頂板上面の前後方向中間部には図２が示すようにその前端から後方まで帯状の凹部34を設け図１のように該凹部の後部を上面開口35した有底筒部36としてその底壁37を仕切壁の後部上へ載置し、その有底筒部の後壁38の上端から水平ヒンジ39を介して上記開口35上面を覆い、かつ凹部34内へ嵌合させた蓋体40を図１のように前方へ突出させている。                                  
【０００８】
後壁38はその左右両側を切離して前方押込みで有底筒部36内へ押込みされ、又その押込みを離すと弾性復帰可能な弾性押圧板38ａとしている。既述切欠き17に対応する後壁部分、即ち弾性押圧部分は切欠き内へ嵌合させ、又水平ヒンジ39左右外方の蓋板部分は屈折部を介して斜前方への傾斜板41とし、該傾斜板の水平ヒンジ外方部分は前方を拡開する三角形状ないし台形状の薄肉板状ヒンジ42とし、上記後壁38上部を前方押込みすると水平ヒンジ39および薄肉板状ヒンジ42を中心として回動することで蓋体40が開蓋可能としている。    
【０００９】
該蓋体の前部下面へは既述振出し孔へ嵌合させる栓43を付設している。
【００１０】
尚、薄肉板状ヒンジ42は上記後壁上部前方押込みによって外方側、つまり三角形の底辺ないし台形状の中広底面部分が弾性に抗して伸長し、開蓋途中の死点を過ぎると弾性復元して、図２が示すように弾性復元する。該薄肉板状ヒンジの構造は公知であり、よって詳細な説明は省略する。
【００１１】
既述押釦19上部前面の突条20の前面は、図１が示すように弾性押圧板38ａの上端縁後面へ当接させる。
【００１２】
上記ワンタッチキャップは次のように使用することが出来る。図１が示す閉蓋状態から押釦19を前方へ押込みすると押釦上端前面へ横設した突条20が弾性押圧板38ａの上端後面を押圧することで、該弾性押圧板上部は弾性に抗して前方へ押されることとなり、よって水平ヒンジ39および薄肉板状ヒンジ42を中心として蓋体40は開蓋し、よって振出し孔15が開孔する。閉蓋は、上後方へ起立した蓋体前部を前下方へ押込み、凹部34内へ嵌合させればよい。尚蓋体40は開閉蓋の際、薄肉板状ヒンジの作用で弾性反転する。
【００１３】
キャップ本体11および蓋付き部材31はそれぞれ合成樹脂材で成形している。
【図面の簡単な説明】
【００１４】
【図１】本発明キャップを閉蓋状態で示す縦断面図である。
【図２】図１キャップを開蓋状態で示す平面図である。
【図３】図１キャップの後面図である。
【図４】図１キャップのキャップ本体を示す斜視図である。
【符号の説明】
【００１５】
11  キャップ本体                    13  振出し筒
14  仕切壁                          16  垂直壁
17  切欠き                          19  押釦
31  蓋付き部材                      32  頂板
36  有底筒部                        38  後壁
38ａ弾性押圧板                      39  水平ヒンジ
40  蓋体                            41  傾斜板
42  薄肉板状ヒンジ
【図１】
2006335405.tif 000003
【図２】
2006335405.tif 000004
【図３】
2006335405.tif 000005
【図４】
2006335405.tif 000006
(57)【要約】【課題】  従来の洗剤容器では、詰め替えの際、液体ポンプを外し別の容器から詰め替えるため、時間がかかっていた。また、詰め替えの時に、空気に触れるため、細菌の繁殖が懸念される。【解決手段】  ポンプヘッドと筒が分離する構造とし、且つ導水管を洗剤容器と一体構造とすることで、洗剤を容器ごと交換でき、更には洗剤が空気とふれにくいため細菌の進入を防ぐことが出来ることを特徴とする。【選択図】        図１
2006335468.tif 000002
【特許請求の範囲】
【請求項１】
液体やゲルを注入可能な容器にポンプ用吸い上げ管を一体化した容器と、ポンプヘッドとから構成される、ポンプ用吸い上げ管一体型容器が交換可能な、ポンプ分離式容器。
【請求項２】
液体やゲルを注入可能な容器として、パウチ等の袋状の成形体からなる請求項１記載のポンプ分離式容器。
【発明の詳細な説明】
【技術分野】
【０００１】  本発明は一般家庭もしくは業務等の手洗い、洗髪等で利用可能な洗剤容器に関する。
【背景技術】
【０００２】  現在、市販されている洗剤容器は、ポンプヘッドとポンプ用吸い上げ管である導水管から構成される液体ポンプ部と、容器部に分離されるものがほとんどである。この実施形態では容器への液体の詰め替えの際、液体ポンプを外し、容器口から新しい液体を注入しなければならない。
【発明の開示】
【発明が解決しようとする課題】
【０００３】  従来の洗剤容器は、液体ポンプと容器に分離されるものがほとんどであり、容器への液体の詰め替えを必要としていた。詰め替えの際、液体ポンプを外したときに、導水管に液体が付着しており、そのまま床等におくことが困難である。また、導水管に汚れが付着したまま詰め替え作業を完了すると、内部で細菌が繁殖するおそれがあり、衛生的でもない。【０００４】  本発明は、このような問題に鑑みてなされたもので、その目的とするところは、洗剤の詰め替えを不要とし、更に、容器交換の手間を省くための装置を提供することにある。
【課題を解決するための手段】
【０００５】  請求項１のポンプヘッド分離式容器は、ポンプヘッドと導水管が分離する構造とし、その導水管は容器と一体構造とすることで、詰め替えを不要とし、更には容器ごと洗剤を交換できることを特徴とする。【０００６】  請求項２のポンプ分離式容器は、また、容器をパウチ等の袋状とすることで、空気に触れることを出来る限り減らし、容器内での細菌の繁殖を防ぐことを特徴とする。
【発明の効果】
【０００７】  請求項１の場合には、容器に詰め替え用の液体の注入作業を不要にでき、また詰め替え時に必要な詰め替え容器を不要にでき、さらには量産時に係わる生産コストを抑えることができる。【０００８】  請求項２の場合には、空気に触れることを最小限に抑えることにより、細菌の繁殖を防ぐことが出来る。
【発明を実施するための最良の形態】
【０００９】  つぎに本発明の実施の形態について図面を参照しつつ説明する。
図１は本発明の一実施形態の断面図であるが、本発明はこの具体例に限定されるものではない。【００１０】  図１において、本発明のポンプ分離式容器は、ポンプヘッド１とポンプ支持筒２からなるポンプ本体部と、導水管３と洗剤４を入れる洗剤容器５からなる容器部、から構成される。【００１１】  工場で洗剤容器５に詰め替え用洗剤が注入された後、詰め替え用洗剤を別途用意することなく、洗剤容器を交換するだけで、新しい洗剤が使用できるようになる。【００１２】  また、洗剤容器５をパウチ等の袋状とすることで、使い切れない液体を限りなく少なくできる。【００１３】  以上のごとく本実施形態の特徴は、ポンプヘッドと筒が分離する構造とし、且つ導水管を容器と一体構造とすることで、洗剤の詰め替えを不要とし、容器交換の手間を省くことにある。
【図面の簡単な説明】
【図１】  図１は本発明の一実施形態の断面図である。
【符号の説明】
１  ポンプヘッド
２  ポンプ支持筒
３  導水管
４  洗剤
５  洗剤容器
【図１】
2006335468.tif 000003
(57)【要約】【課題】従来の、手押し出しポンプ容器本体１では、何かのはずみで押し出し突起２に触れると勢いよく内容物が噴出して、そこら辺を汚してしまって困る事があった。【解決の手段】本発明では、前述問題を解決の為に図１の如く、手押し出しポンプ容器本体１の押し出し突起２の下に、ストッパー５を設けた。ストッパー５は押し出し突起２の支点６を介して設け作動する。内容物を押し出す時はストッパー５は横にして外し、押し出す必要のない時はストッパー５を縦にして、押し出し突起２の下に戻す。こうすると、押し出し突起２をストッパー５が下で突っ張っているから、ふとしたはずみで押し出し突起２に手などが触れても内容物が噴出する事がない。【選択図】図１
2006335469.tif 000002
【特許請求の範囲】
【請求項１】
（１）手押し出しポンプ容器本体１で、押し出し突起２の下部に、支点６を介して作動するストッパー５を設けたことを特徴とするストッパー付き手押し出しポンプ容器。
【請求項２】
（１）手押し出しポンプ容器本体１ａで、安定環７に支点６ａを介して作動するストッパー５ａを押し出し突起２を突っ張る為に設けたことを特徴とするストッパー付き手押し出しポンプ容器。
【請求項３】
（１）手押し出しポンプ容器本体１ｂで、安定環７ｂに設けたスライド溝をスライドして、押し出し突起２を突っ張ったり解除したり機能するストッパー５ｂを設けたことを特徴とするストッパー付き手押し出しポンプ容器。
【発明の詳細な説明】
【技術分野】
【０００１】  本発明は、一般家庭でボディシャンプーやヘアーシャンプーやジェル等の容器として使用されている、手押し出しポンプ容器に関する。
【背景技術】
【０００２】  従来の手押し出しポンプ容器では、ボディシャンプーやヘアーシャンプーやジェル等の容器として沢山出回る様になってきている。固形石鹸だと使用中に段々小さくなって、使いづらくなるけど、ポンプ容器から押し出すと、その点は心配ないから便利で普及しているのでしょう。製品としても完成度は相当高いと思われるけど、それが、日常生活の中で、不注意からふとした失敗が元で、本発明を開発するに至りました。
手押し出しポンプ容器本体１の押し出し突起２に、ものの弾みで手が触れたのです。そしたら、そこら辺中を内容物が噴出して汚してしまいました。
【発明の開示】
【発明が解決しようとする課題】
【０００３】  従来の手押し出しポンプ容器本体１は、何かのはずみで押し出し突起２に触れると勢いよく内容物が噴出して、そこら辺を汚してしまって困る事があった。
【課題を解決する為の手段】
【０００４】  本発明では、前述問題を解決の為に図１の如く、手押し出しポンプ容器本体１の押し出し突起２の下に、ストッパー５を設けた。ストッパー５は押し出し突起２の支点６を介して設け作動する。内容物を押し出す時はストッパー５は横にして外し、押し出す必要のない時はストッパー５を縦にして、押し出し突起２の下に戻す。こうすると、押し出し突起２をストッパー５が下で突っ張っているから、ふとした弾みで押し出し突起２に手などが触れても内容物が噴出する事がない。
【発明の効果】
【０００５】  前述した様に、本発明の手押し出しポンプ容器では、押し出し突起２の下でストッパー５が未使用中は突っ張っているので、ふとした弾みで手などが、押し出し突起２に触れる事があっても内容物が噴出して辺りを汚したりする事がないし安心である。
【発明を実施する為の最良の形態】
【０００６】  手押し出しポンプ容器の型に依っては、補助環８が付いてるモノがある。その場合は、ストッパー５ａはポンプ管４の安定環７へ支点６ａを介して図２の如く設けても良い。手押し出し容器本体１ａから内容物を噴出させる時は、ストッパー５ａは横に倒しておき、未使用の時はストッパー５ａは起こして押し出し突起２の下で突っ張っておく。
【実施例】
【０００７】  ストッパーは、図３の手押し出しポンプ容器本体１ｂの如く、ストッパー５ｂをスライド作動させても良い。安定環７ｂに底広のスライド溝９を設けスライド溝９をスライドするストッパー５ｂを設ける。使用する時はストッパー５ｂを矢印方向へスライドして、押し出し突起２の下から遠ざけ、未使用の時はストッパー５ｂを矢印とは反対方向に作動して、押し出し突起２の下へ戻して押し出し突起２を突っ張っておく。スライド溝９は底広で、ストッパー５ｂも嵌合しているから外れにくい。
【図面の簡単な説明】
【０００８】
【図１】本発明の斜視図
【図２】本発明のストッパーの支点位置を変えた斜視図
【図３】本発明の実施例の斜視図
【符号の説明】
【０００９】１は、手押し出しポンプ容器本体
１ａは、手押し出しポンプ容器本体
１ｂは、手押し出しポンプ容器本体
２は、押し出し突起
３は、噴出口
４は、ポンプ管
５は、ストッパー
５ａは、ストッパー
５ｂは、ストッパー
６は、支点
６ａは、支点
７は、安定環
７ｂは、安定環
８は、補助環
９は、スライド溝
【図１】
2006335469.tif 000003
【図２】
2006335469.tif 000004
【図３】
2006335469.tif 000005
(57)【要約】      （修正有）【課題】オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などを、コンパクトにまとめ、雨や雪などから守り、災害時に持ち運びやすくし、大容量を蓄えることを可能にし、かつ衛生的に長期保管を可能にすることを提供する。【解決手段】  酸素を通さないラミネート袋（１）に、用品など（２）を入れ、袋の中の空気を抜く部分（４）を確保しつつ、シール装置（３）を用いて密閉する。  真空パックをすることができる処理装置（５）に付帯する吸引ホース（６）を、この空気を抜く部分（４）に入れ、袋の中の空気を吸い込み、真空パックが確認できたら、シール装置（３）を用いてさらに密閉すると、それら用品（２）が５分の１以下に圧縮される。【選択図】図１
2006335471.tif 000002
【特許請求の範囲】
【請求項１】
オリジナル防災用品を真空パックして保管する方法。
【請求項２】
前記オリジナル防災用品とは、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などを指し、それらを酸素を通さない特殊ラミネート袋に入れ、繊維製品の保管用処理装置とシール装置を用いて、真空パックする。
それによって、それらオリジナル防災用品は、５分の１以下に圧縮され、雨や雪などはもとより、ダニ・カビ・湿気を寄せ付けず、衛生的に長期保管ができ、また、コンパクトにすることによって、持ち運びやすくし、概ね保管場所を選ばずに収納でき、かつ十分な容量を蓄えることを可能にするなどを特徴とする請求項１記載の保管方法。
【発明の詳細な説明】
【技術分野】
【０００１】  この発明は、オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などの保管方法に関する。
【背景技術】
【０００２】  従来、オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などは、袋やダンボールなどに詰め込んだままで保管されている。
【発明の開示】
【発明が解決しようとする課題】
【０００３】  しかしながら、以上の技術によれば、オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などを保管する場合、広い場所が要され、また、衛生上などの理由により、定期的に点検しなければならない。
さらに、それらオリジナル防災用品は、雨や雪などから守られ、災害時に持ち運びやすくなければならない。場合によっては、大容量を蓄える必要もある。
そこで、この発明は、それらオリジナル防災用品をコンパクトにまとめ、概ね保管場所を選ばずに収納でき、かつ持ち運びしやすくし、衛生的に長期保管を可能にすることを課題とする。
【課題を解決するための手段】
【０００４】  以上の課題を解決するために、第一発明は、オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などを、酸素を通さない特殊ラミネート袋に入れ、繊維製品の保管用処理装置とシール装置を用いて、真空パックすることによって、５分の１以下に圧縮する特徴の保管方法である。
また、第二発明は、それらオリジナル防災用品は、雨や雪はもとより、ダニ・カビ・湿気などを寄せ付けず、概ね保管場所を選ばずに収納でき、かつ持ち運びしやすくし、衛生的に長期保管を可能にすることを特徴とする保管方法である。
【発明の効果】
【０００５】  第一発明、または第二発明によれば、オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品などを、酸素を通さない特殊ラミネート袋に入れ、繊維製品の保管用処理装置とシール装置を用いて、真空パックする。
それによって、それらオリジナル防災用品は、５分の１以下に圧縮され、雨や雪などはもとより、ダニ・カビ・湿気を寄せ付けず、衛生的に長期保管ができ、また、コンパクトにすることによって、持ち運びやすくし、概ね保管場所を選ばずに収納でき、かつ十分な容量を蓄えることができる
【発明を実施するための最良の形態】
【０００６】  以下、本発明を実施するために最良の形態について説明する。
酸素を通さないラミネート袋（１）に、オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品など（２）を入れ、シール装置（３）を用いてあらかじめ密閉する。その際、このオリジナル防災用品（２）を入れた酸素を通さないラミネート袋（１）に空気を抜く部分（４）を確保しておく。
真空パックをすることができる繊維製品の保管用処理装置（５）に付帯する吸引ホース（６）を、オリジナル防災用品を入れた袋に確保した空気を抜く部分（４）に入れ、袋の中の空気を吸い込み、真空パックが確認できたら、シール装置（３）を用いてさらに密閉すると、（７）のようにそれらオリジナル防災用品（２）が５分の１以下に圧縮される。
【図面の簡単な説明】
【０００７】
【図１】本発明の斜視図である。
【符号の説明】
【０００８】  １  酸素を通さないラミネート袋
２  オリジナル防災用品、例えば、家庭においては寝袋、毛布、タオル、衣類、下着、折りたたみバケツ、紙オムツ、生活に必要な個人情報、お金など、個々人が当面の生活に必要な繊維及び紙製品など、または、自治体、学校、病院、職場などでも、災害時に必要な繊維製品及び紙製品など
３  シール装置
４  オリジナル防災用品を入れた酸素を通さないラミネート袋に確保した空気を抜く部分
５  真空パックをすることができる繊維製品の保管用処理装置
６  真空パックをすることができる繊維製品の保管用処理装置に付帯する吸引ホース
７  ５分の１以下に圧縮されたオリジナル防災用品
【図１】
2006335471.tif 000003
(57)【要約】【課題】車内販売ワゴンを自動的に簡単かつ確実に停止させる。【解決手段】回転ハンドル式ブレーキで前進・後進共少い力でブレーキ解除出来、作業をスムースに操作出来る。【選択図】図４
2006335342.tif 000002
【特許請求の範囲】
【請求項１】
ワゴンのハンドルルを回転式にして前進方向又は後進方向に回転し、少ない力でブレーキを解除できることを特徴とするワゴンである。
その方法は、その回転ハンドル固定軸芯と回転アーム取付ピン芯（又はころがりワイヤー受芯）の距離を近づけることにより、少い力でブレーキを解除することが出来る。
例えば女性の手でハンドルの上に軽くあてがうだけで、前後に、軽く操作出来る。
【請求項２】
この方法でブレーキ解除の伝達方法をロット式又はワイヤー式でも可能にした。
【発明の詳細な説明】
【技術分野】
【０００１】本発明は列車内販売用ワゴンのブレーキに関するものであり、ブレーキハンドルの動きに工夫を加えることにより、力を必要とせず、前進又は後進のワゴン操作が出来るようにしたものである。
【背景技術】
【０００２】従来から走行中の列車や飛行中の航空機等で使用する販売用ワゴンには手を離しても動き出さないようにブレーキが設けてある。従来の制動装置にはペタル足ぶみ式、スライドレバー式、把持レバー装置式が使用されており、制動部分には、凹凸係合式装置や摩擦式制動装置が使用されている。
【発明が解決しようとする課題】
【０００３】しかし、従来の制動装置はブレーキ操作に握力が必要であり、又車輪の外側等に圧力を掛け制動する等で車輪及び装置の摩滅が多く、又従業員の疲労も多く、それらの間題をこの技術は解決出来る。
【産業上の利用可能性】
【０００４】従来の制動装置を採用した新幹線のワゴンを使用した従業員には手がつかれる等の苦情が多くあり、この技術はその様な点を改善出来産業上、利用可能性は大きい。
【図面の簡単な説明】
【０００５】
【図１】本発明の回転ハンドルブレーキ付車内販売用ワゴンの実施形態を示す左側面図。
【図２】図１の正面図
【図３】ロット式回転ハンドルの構成を示す説明図。（図１のＥ−Ｅ断面図）
【図４】ロット式回転ハンドルの構成を示す説明図。（図３のＤ−Ｄ断面図）
【図５】固定車輪ブレーキの構成を示す説明図。（内側右側面より）
【図６】固定車輪ブレーキの構成を示す説明図。（内側右側面より）
【図７】図６におけるＡ−Ａ要部縦断面図。（押バネ部共）
【図８】図７におけるＢ−Ｂ要部縦断面図。（作動レバー共）
【図９】ワイヤー式回転ハンドルの構成を示す説明図。（左側面図）
【図１０】ワイヤー式回転ハンドルの構成を示す説明図。（図９のＣ−Ｃ断面図）
【図１１】ワイヤー式固定車輪の構成を示す説明図。（右正面より）
【図１２】ワイヤー式固定車輪の構成を示す説明図。（内側右側面より）
【符号の説明】
【０００６】（１）車台
（２）かご受
（３）自在車輪
（４）固定車輪
（５）カバー
（６）足掛
（７）保冷引出
（８）保冷室
（９）現金引出
（１０）ポット受台
（１１）フレーム角パイプ
（１２）回転ハンドル
（１３）固定軸
（１４）ホルダー
（１５）すべり軸受
（１６）皿ボルト
（１７）ピン
（１８）すべり軸受
（１９）回転アーム
（２０）係合溝
（２１）係合ピン
（２２）すべり軸受
（２３）制動ロッド
（２４）ロット受
（２５）すべり軸受
（２６）ロット支え
（２７）ピン
（２８）すべり軸受
（２９）ロット支え
（３０）ボルト
（３１）レバ支え
（３２）作動レバー
（３３）調整ボルト
2006335342.tif 000003
（３５）押バネ
（３６）調整ボルト
2006335342.tif 000004
（３９）ブラケット上面
（３９ａ）ボルト孔
（４０）ブラケット横面
（４１）カム
【図１】
2006335342.tif 000005
【図２】
2006335342.tif 000006
【図３】
2006335342.tif 000007
【図４】
2006335342.tif 000008
【図５】
2006335342.tif 000009
【図６】
2006335342.tif 000010
【図７】
2006335342.tif 000011
【図８】
2006335342.tif 000012
【図９】
2006335342.tif 000013
【図１０】
2006335342.tif 000014
【図１１】
2006335342.tif 000015
【図１２】
2006335342.tif 000016
(57)【要約】【課題】  雨傘をさしていて外から自動車に乗り込むとき、車内に濡れた傘を置く場所がない。それで座席の前などに傘を立てると床や衣服やシートが濡れる。しかも自動車が動くと傘も移動し危険である。また車内に傘を置くまで乗り込む人や開いたドアも濡れる。また、自動車から降りる時も傘のしずくなどで同乗者や自分の衣服が濡れる。【解決手段】  自動車のドアの内側１の窓の下にある肘掛け２などに傘を通す穴３を設ける。そしてその穴３の下方部分にポケット４を設置する。そしてそのポケット４の中に傘の雨水を貯める容器５を取り付ける。これで雨のとき閉じた傘６を開けたドアの肘掛けの穴３に通すと共に傘先をポケット４の中の容器５に差し込めば傘６を簡単に収納出来るし、降車時も簡単に傘６を取り出すことが出来る。ステッキも同様である。しかも容器５は貯まった雨水を捨てられるように脱着可能にした。これで自動車における傘に関する問題点をすべて解決することが出来る。【選択図】  図  １
2006335335.tif 000002
【特許請求の範囲】
【請求項１】
傘収納機能や装置が付いた自動車のドア。
【請求項２】
貯まった雨水などが排水出来る傘収納機能や装置が付いた自動車のドア。
【発明の詳細な説明】
【技術分野】
【０００１】  本発明は傘やステッキを片手で簡単に収納する事が出来、しかも傘が雨で濡れた場合、傘の雨水で車内の床やシートや人の衣服などが濡れないように、傘やステッキが収納出来る機能や装置を自動車のドアの内側に取り付ける発明である。
【背景技術】
【０００２】  従来、自動車の中には傘立て装置がないため、例えば雨降りなどで、傘を使用後、自動車に乗りこむとき、使用後の傘を簡単に置く適当な場所や装置が無かった。座席の周辺に立てたり置いたりしていたが、車内の床やシートや人の衣服が傘の水で濡れてしまう問題が発生していた。また傘やステッキを車内の座席の横や前に置いても車が動くと移動して危険であった。それらを解決するため傘やステッキが収納できる機能や装置を自動車のドアの内側に付ける。
【発明の開示】
【発明が解決しょうとする課題】
【０００３】  雨の日などに傘を使用後、自動車に乗りこむとき、自動車のドアを開けても傘を簡単に置く適当な場所がなく、傘を置く場所を決めるまでその人は車の中に入れないので濡れ、開いているドアの内側も濡れてしまう。また、座席の足下の床に置いても自動車の床や床のマットが傘のしずくで濡れ、座席のシートや座っている人の衣服まで傘の雨水で濡れてしまう。また自動車から降りて傘をさすときに濡れた傘を持って車外に出して傘を開く時にも傘のしずくが車内にたれて座席のシートや人の衣服を濡らした。又、雨が降ってなくとも雨傘や日傘やステッキを車内に簡単に置く専用場所が無い。また車内の座席の横や前に置いても車が動くと置いた傘やステッキも移動して危険であった。本発明はこのような問題を解決するために発明されたものである。
【課題を解決するための手段】
【０００４】  例えば、雨の日に傘をさしていて外から自動車に乗りこむとき、自動車のドアを開けたあと雨で濡れた傘を閉じ、車内に収納し、ドアを閉めて人やドアの内側が濡れるのを防ぎなお床も濡れる事が無いように、また運転中も傘やステッキを安全に収納しておけるように、その人が乗車するとき開けるドアの内側に傘やステッキを収納出来る機能や装置を設置する。
【発明の効果】
【０００５】  自動車のドアに傘の収納機能や装置があれば、例えば、雨の日に傘をさしていて外から自動車に乗りこむとき、自動車のドアを開け、傘を閉じ、傘をドアの収納装置に収納する事が出来る。そうすることにより人やドアの内側が濡れることを低減できる。しかもドアに傘を収納するので自動車の床も自分や同乗者の衣服も座席のシートも濡れることがない。また自動車から降りて傘をさすときも自分の横のドアに傘があるのでドアを開けその傘を取り出して開くことが出来る。そのため車を降りて雨傘をさす時も車内の床や人の衣服や座席のシートは濡らしにくい。そして開いたドアの内側や人が、降っている雨に濡れるのを最小限に押さえる事が出来る。また傘はドアの内側にある傘収納装置に収納してあるので移動せず安全である。言うまでもなく雨傘以外の傘やステッキも収納できる。
【発明を実施するための最良の形態】
【０００６】  車の前の運転席側のドアで説明すれば、運転者の横にあるドアの内側１に傘の収納機能や装置を取り付けるのである。もっと具体的に説明するとドアの内側１のウインドウの少し下方に傘を通す取っ手のような輪を取り付ける。しかしそこに肘掛け２などがある場合はそれに傘を通す事が出来る穴３を設ける。そして肘掛けがない場合は取っ手のような輪の前方下、肘掛けがある場合はその穴３の前方下のドアの下方部分に傘の先を受けとめると共に傘から落ちる雨水を受けて貯めておけるポケットのような装置４を設置し傘の収納装置を作る。さらにそのポケット４の中にその傘の先を受けとめると共に傘から落ちる雨水を受けて貯めておける容器５を取り付ける。そしてそのポケット４の中に取り付けた容器５は雨水が貯まれば取り外して排水できるように脱着可能にする。あるいはポケット４や容器５の底に排水口を開けておき雨水がドアの下から常時車外に排水するようにする。
【図面の簡単な説明】
【０００７】
【図１】  本発明の使用状態を示す正面図である。
【図２】  本発明の使用状態を示す側面図である。
【符号の説明】
【０００８】  １  自動車ドアの内側
２  自動車ドアの内側にある肘掛け
３  肘掛けにあけた傘を通す穴
４  ドアの下方に設置したポケット
５  傘の雨水を貯める容器
６  雨に濡れた傘
【図１】
2006335335.tif 000003
【図２】
2006335335.tif 000004
【手続補正書】
【提出日】平成17年9月13日(2005.9.13)
【手続補正１】
【補正対象書類名】特許請求の範囲
【補正対象項目名】請求項１
【補正方法】変更
【補正の内容】
【請求項１】
「自動車ドアの内側に取り付けてある肘掛けやドアを開閉するための取っ手や小物収納ポケットなどを利用した傘収納機能や装置がある自動車のドア」
(57)【要約】【課題】通常のシートベルト装着までの、手順を省略、容易にするための駐車時に使用する安価なシートベルト止金の保持具を提供する。【解決手段】乗降の邪魔にならないように、座席のドア側、側面に充分な弛みを付けるため、シートベルト９を必要量分引き出す、シートベルト収納ガイド８で、引き戻しを制限できる位置に、引き戻し止具１を、シートベルト９に取付ける。使用時には、前を向いた運転姿勢で、前席ドア側の手を下げた位置に取付けられた、シートベルト止金の保持具３からシートベルト止金２を引き抜いて通常のシートベルトの装着を完了する。【選択図】図１
2006335336.tif 000002
【特許請求の範囲】
【請求項１】
メーカー各社で、寸法に大小と、長短の違いがあるシートベルト止金を、容易に差込、保持できるように縦長の差込口と、外側に張り出した案内傾斜を設け、かつ案内バネ（４）によりシートベルト止金（２）を中心に導き、セットピン（５）を取り付けた、板の弾力で、固定保持する。外側に張り出した案内傾斜は、運転者が駐車時に、使用する時に、手触りで位置確認ができることを特徴とするシートベルト止金の保持具。
【請求項２】
シートベルトを固定するには事故衝撃を吸収できる、スポンジ、ゴム、布等の、柔らかい材料で、引き戻し止具（１）を、シートベルト収納ガイド（８）で止まるように、その該当場所に取り付けることを特徴とする請求項１記載のシートベルト止金の保持具。
【発明の詳細な説明】
【技術分野】
【０００１】  本発明は、シートベルトの装着手順を省略、容易にするシートベルト止金の保持具に関するものである。
【背景技術】
【０００２】  従来のシートベルト装着装置で、センサー類や電気回路、駆動モーター等を座席や、その周辺に組み込んだ装置がある。又タングの係合部を上下に設けて、係合手順や係合相手の間違いを防止するシートベルト装置もある。いずれの装置も現時、販売されて使用中の、乗用車に後付けで取り付けるのは無理があり、シートベルト止金を後上方からの引き降ろし手順を省略できていないという不便さが残っている。
【特許文献１】特開２００４−２５５９９４
【特許文献２】特開平１１−１０５６６８
【発明の開示】
【発明が解決しようとする課題】
【０００３】  解決しようとする問題点は、年々高齢者の運転者が増加している。人間は前を向いて後に手が回るような構造にできておらず、運転者が従来の、シートベルトの装着をする時にはドア側、後上方に位置する、符号２のシートベルト止金を掴まえるために、振り向いて、掴んで、引き降ろす動作をしなければならない、これが健常者には何でもない動作であるが高齢者、身体障害者には面倒な動作で負担となる原因である。しかしシートベルト装着の安全性は証明済みであり、この負担となる後上方からの、符号２のシートベルト止金の、引き降ろし動作を省略すれば、問題は解決できる。
【問題を解決するための手段】
【０００４】  本発明は、前部座席のドア側、側面下部に取り付けるために、前を向いた運転姿勢で、手を下に降ろせば容易に符号２のシートベルトの止金が掴めるので、装着が簡単になる。
【発明の効果】
【０００５】  本発明は、シートベルト装着手順を省略、容易にすることで、高齢者や身体障害者に限らず、健常者にとっても車が持つ、本来の快適性が向上し、シートベルト不着用者の面倒だからという、不着用理由を減じる効果がある、これは危険行為の抑制、排除に繋がり、車の安全性の向上という大目的と一致する。
【発明を実施するための最良の形態】
【０００６】  乗用車の前部座席のドア側、側面に取り付けた符号３のシートベルト止金の保持具から符号２のシートベルト止金を掴んで、引き抜いて通常のシートベルト装着を行う。
【実施例１】
【０００７】  図１は駐車中に使用する、本発明の実施形態である。運転者が降車する時にシートベルト止金２を、シートベルト止金の保持具３に差し込んで降車、車は駐車状態となる。【０００８】  自動車に取り付けられて使用されている、シートベルト止金２は各メーカーで寸法に大小と長短の違いがあり、それらを容易に差込保持できるように、縦長の差込口と外側に張り出した案内傾斜を設ける。差込口からシートベルト止金２を差し込むと、案内バネ４の作用により中心に導かれて、セットピンを取り付けた板の弾力で固定保持される。【０００９】  図２の実施例は、外側に張り出した案内傾斜によって、使用する度に視線を向けなくても手触りで、その位置確認ができる。【００１０】  運転者の乗降の邪魔にならないようにするために、座席の側面に充分な弛みがとれるだけの、必要量を引き出したシートベルト９には、事故衝撃による人体への影響を避けるために、軟質材料の引き戻し止具１を、シートベルト収納ガイド８で、シートベルト９の引き戻しが止まる位置に取り付ける。
【産業上の利用の可能性】
【００１１】  車の設計段階で座席及び座席下部のプラスチックカバーと一体化すれば乗用車だけでなく多くの車両に適用できる。
【図面の簡単な説明】
【００１２】
【図１】シートベルト止金の保持具の実施方法を示した説明図である。（実施例１）
【図２】シートベルト止金の保持具の実施方法を示した説明図である。
【図３】シートベルト止金の保持具の切断図である。
【符号の説明】
【００１３】１  引き戻し止具
２  シートベルト止金
３  シートベルト止金の保持具
４  案内バネ
５  セットピン
６  取付座
７  取付間座
８  シートベルト収納ガイド
９  シートベルト
【図１】
2006335336.tif 000003
【図２】
2006335336.tif 000004
【図３】
2006335336.tif 000005
(57)【要約】【課題】  サンバイザ−本体内にサングラス板を出入可能に組込み、西日或いは朝日等の低い逆光に対しても光を遮り且つ前方の視界も充分に確保し得る自動車の安全走行上極めて有益な自動車のサンバイザ−の提供。【解決手段】  サンバイザ−本体１内にサングラス板３を出入自在に格納し、該サングラス板３を使用時にサンバイザ−本体１から下方に引出して西日或いは朝日等の低い逆光を遮り且つ前方の視界も確保するようにした。【選択図】  図１
2006335334.tif 000002
【特許請求の範囲】
【請求項１】
合成樹脂その他適宜の材質によつて成形されたサンバイザ−本体１の内部に一辺が開口する空洞部２を設け、該空洞部２にサングラス板３を格納し、該サングラス板３が前記サンバイザ−本体１の開口部から出入可能になる自動車のサンバイザ−。
【請求項２】
前記サングラス板３は深奥部両側に一端がピン４によって止着された半円弧状の板バネ５が設置され、該板バネ５が前記空洞部２の両側壁面に弾力的に密接し、サングラス板３の出入幅を無段階的に調整可能にした請求項１記載の自動車のサンバイザ−。
【発明の詳細な説明】
【技術分野】
【０００１】  本発明は、西日或いは朝日等の低い逆光に対しても充分に機能し安全運転に寄与する自動車のサンバイザ−に関するものである。
【背景技術】
【０００２】  自動車には運転中の逆光を避けるためにサンバイザ−を付設してあるが、現在普及しているサンバイザ−では西日或いは朝日等の低い逆光に対しては全く機能せず逆光が目に入り事故の誘発原因になる等、安全運転上の問題点がある。
【発明の開示】
【発明が解決しょうとする課題】
【０００３】  本発明は、前記従来の問題点を一掃するためにサンバイザ−本体内にサングラス板を出入自在に格納し、サイグラス板を引出すことによって低い逆光に対しても充分に機能し且つ前方の視界も確保し得る自動車の安全走行に極めて有益な自動車のサンバイザ−の提供を目的としたものである。
【課題を解決するための手段】
【０００４】  本発明は、前記の目的を達成する手段として、合成樹脂その他適宜の材質によつて成形されたサンバイザ−本体１の内部に一辺が開口する空洞部２を設け、該空洞部２にサングラス板３を格納し、該サングラス板３が前記サンバイザ−本体１の開口部から出入可能にし、又、前記サングラス板３は深奥部両側に一端がピン４によって止着された半円弧状の板バネ５が設置され、該板バネ５が前記空洞部２の両側壁面に弾力的に密接し、サングラス板３の出入幅を無段階的に調整可能にした。
【発明の効果】
【０００５】  本発明は、サンバイザ−本体１の内部にサングラス板３を収納し該サングラス板３を出入可能にしてあり、従って該サングラス板３を引き下げることによって西日や朝日等の低い逆光も遮ることが可能で、しかもサングラス板３を通して前方の視界も確保することができ、安全運転上極めて有益である。
【０００６】  又、前記サングラス板３の深奥部両側には一端がピン４によって止着されている半円弧上の板バネ５が設置され、この板バネ５が前記空洞部２の両側壁面に弾力的に接しているためサングラス板３は無段階的に上下方向に摺動可能となりサングラス板３の位置を使用者の希望位置に簡便にセットすることが可能であり使用上頗る便利であるばかりでなくコスト面に於いても低コストでの製造が可能であり、自動車の安全運転に顕著な効果を発揮するサンバイザ−を廉価に提供し得るものである。
【発明を実施するための最良の形態】
【０００７】  本発明の具体的な構成を図に基づいて説明すると、サンバイザ−本体１は合成樹脂等で成形することが望ましく、必要に応じて表面をビニ−ルシ−ト等で被覆すると美感的にも体裁良好となる。
このサンバイザ−本体１の内部に下端に開口部を有する空洞部２を設け、該空洞部２にプラスチック等からなるサングラス板３を出入自在に格納する。【０００８】  而して、前記サングラス板３の深奥部両側には一端をピン４によって止着されている半円弧上の板バネ５が設置され、この板バネ５が前記空洞部２の両側壁面に弾力的に接しサングラス板３の出入幅を無段階的に調整可能にしてある。
そして、サングラス板３が空洞部２に完全に納まった状態では前記板バネ５は空洞部２の深奥部に設けた凹部６に位置し、完全に出し切った状態では前記ピン４が空洞部２の出口に内凸したストッパ−７に係当しサンバイザ−本体１からの脱落が阻止されるようになっている。
【図面の簡単な説明】
【０００９】
【図１】  本発明に係るサンバイザ−の要部を示す断面図
【図２】  サンバイザ−とサングラス板との関係を示す平面図
【図３】  サングラス板の引き出し状況を示す正面図
【図４】  使用状況を示す図
【符号の説明】
【００１０】１  サンバイザ−本体
２  空洞部
３  サングラス板
４  ピン
５  板バネ
【図１】
2006335334.tif 000003
【図２】
2006335334.tif 000004
【図３】
2006335334.tif 000005
【図４】
2006335334.tif 000006
(57)【要約】【課題】従来の遠隔操縦飛行体を利用したビジネスは、提供している機体総重量が重く飛行スピードが速いため飛行場所の確保、安全性を高くすることが難しく、操縦技術の習得に伴う多大な出費と時間をしいられ、飛行を成功させる調整技術も経験が必要であり。万人が気軽に楽しめるものではなかった、そのためビジネスに広がりがあまりなかった。【解決手段】軽量、安価、安全、簡単な操作性を有する遠隔操縦飛行体を利用したビジネスを行う。軽量な飛行体のため、飛行場所の確保の容易性、安全性の向上、操縦技術の簡単さを有し、インターネットを利用した調整支援システムにより、経験者でなくても容易に調整できる。それらの要因を含めると、幼児から高齢者までお手軽に遠隔操縦飛行体の飛行を楽しむことができるようになるため、遠隔操縦飛行体を利用したビジネスに広がりが生まれた。【選択図】図１
2006335337.tif 000002
【特許請求の範囲】
【請求項１】
軽量、安価、安全、簡単な操作性を有する遠隔操縦飛行体を提供し、従来の遠隔操縦飛行体では困難だったサービスを提供するビジネス
【請求項２】
前記ビジネスは総重量３０グラム以内の安価、安全、簡単な操作性を有する遠隔操縦飛行体を特徴とする、遠隔操縦飛行体を利用したビジネスを提供し、従来の遠隔操縦飛行体では困難だったサービスを提供するビジネス
【請求項３】
前記ビジネスは総重量３０グラム以内の軽量、安価、安全、簡単な操作性を有する遠隔操縦飛行体を特徴とする、遠隔操縦飛行体を利用したビジネスを提供し、購入者に手軽に遠隔操縦飛行体の飛行を楽しんでいただくほか、狭いスペースでの飛行、イベントでの利用、リハビリ、室内空中戦、室内飛行競技、室内飛行操縦教室、室内飛行技能検定。遠隔操縦飛行体の調整および操縦技術のアドバイス、体験操縦、飛行に関する科学の学習、遠隔操縦飛行体を利用した癒し、遠隔操縦飛行体のレンタル、室内飛行ゲーム、修理、などをインターネット、直接、ゲーム、書籍、電子記録媒体の利用も視野に入れたサービスを提供するビジネス。
【発明の詳細な説明】
【技術分野】
【０００１】  この発明は、軽量、安価、安全、簡単な操作性を有する、遠隔操縦飛行体を用いたビジネスに関する。
【背景技術】
【０００２】  従来の遠隔操縦飛行体のビジネスは、遠隔操縦飛行体総重量が重い物を販売していた。
【発明の開示】
【発明が解決しようとする課題】
【０００３】しかしながら、以上の遠隔操縦飛行体は、機体総重量が重く飛行スピードが速い。そのために飛行させるには広い飛行エリアが必要だが、飛行エリアの確保が難しく、あまり飛ばす場所がない。また飛行エリアが屋外なため天候に飛行が左右されやすい。つぎに飛行スピードが速いため、操縦が難しい。次に墜落すると破損しやすい。操縦技術を習得するまでに修理費や修理時間などに多大な出費と時間をとられる。人体等に衝突した際の安全性を保つことが難しい。飛行体の飛行に必要な調整作業や操縦技術もある程度の経験が必要である。【０００４】    など複数の要因が作用して、その結果、万人が手軽に遠隔操縦飛行体の飛行を楽しむことができなかったため、ビジネスの広がりがなかった。そこで、この発明は、軽量、安価、安全、簡単な操作性を有する遠隔操縦飛行体を提供するビジネスを課題とする。
【課題を解決するための手段】
【０００５】  以上の課題を解決するために、第一発明は、軽量、安価、安全、簡単な操作性を有する遠隔操縦飛行体を提供し、従来の遠隔操縦飛行体では困難だったサービスを提供するビジネスである。
また、第二発明は、総重量２０グラム以内の軽量、安価、安全、簡単な操作性を有する遠隔操縦飛行体を特徴とする、遠隔操縦飛行体を提供するビジネス、従来の遠隔操縦飛行体では困難だったサービスを提供するビジネスである。【０００６】    また、第三発明は、総重量２０グラム以内の軽量、安価、安全、簡単な操作性を有する遠隔操縦飛行体を特徴とする、遠隔操縦飛行体を利用したビジネスを提供し、購入者に手軽に遠隔操縦飛行体の飛行を楽しんでいただくほか、狭いスペースでの飛行、イベントでの利用、リハビリ、室内空中戦、室内飛行競技、室内飛行操縦教室および室内飛行技能検定。遠隔操縦飛行体の調整および操縦技術のアドバイス、体験操縦、飛行に関する科学の学習、遠隔操縦飛行体を利用した癒し、遠隔操縦飛行体のレンタル、室内飛行ゲーム、修理などを、インターネット、直接、ゲーム、書籍、電子記録媒体の利用も視野に入れたサービスを提供するビジネスである。
【発明の効果】
【０００７】  第一発明、または第二発明または第三発明によれば、軽量、安価、安全、簡単な操作性を有する遠隔操縦飛行体を提供することにより、万人が遠隔操縦飛行体を楽しむことができる。
【発明を実施するための最良の形態】
【０００８】  この発明の一実施形態を、図１に示す。
軽量、安価、安全、簡単な操作性を有する遠隔操縦飛行体１を利用し、２，３，４，５、のコミュニケーション手段を使い、サービス６を提供するビジネス。【０００９】「実施形態の効果」
この実施形態によれば、軽量、安価、安全、簡単な操作性を有する遠隔操縦飛行体１を利用し、２，３，４，５、のコミュニケーション手段を使い、今までなかった、サービス６を提供することができる。【００１０】「他の実施形態」
図１の実施形態では、軽量、安価、安全、簡単な操作性を有する遠隔操縦飛行体１を利用して、サービス６を提供するビジネスにおいて、コミュニケーション手段である、２インターネット、３直接的なコミュニケーション、４印刷物、５電子記録媒体が別々で、記載されているが、これらの要素が複合された状態のコミュケーション手段を利用しても良い。
【図面の簡単な説明】
【００１１】
【図１】この発明を表す図である。
【符号の説明】
【００１２】１  軽量、安価、安全、簡単な操作性を有する遠隔操縦飛行体
２  電気情報通信網
３  直接的なコミュニケーション
４  印刷物
５  電子記録媒体
６  サービス
【図１】
2006335337.tif 000003